(57)【特許請求の範囲】
【請求項１】
焙煎コーヒー豆のコーヒー液抽出残渣についての抽出液の乾燥物が含まれているティッシュペーパ、ちり紙、トイレットペーパー又は生理用紙であることを特徴とする衛生用紙。
【請求項２】
焙煎コーヒー豆のコーヒー液抽出残渣についての抽出液の乾燥物及び緑茶、ウーロン茶若しくは紅茶の茶殻又はこれら二種以上の茶殻についての抽出液の乾燥物が含まれているティッシュペーパ、ちり紙、トイレットペーパー又は生理用紙であることを特徴とする衛生用紙。
【請求項３】
クレープが形成されていることを特徴とする請求項１又は２に記載の衛生用紙。
【発明の詳細な説明】
【０００１】
【発明の属する技術分野】
本発明は、ティッシュペーパー、ちり紙、トイレットペーパー又は生理用紙である衛生用紙に関し、特に、寝具用シーツ、紙おむつ、動物用紙おむつ、生理用ナプキン、動物用生理用ナプキン、乳パッド、汗パッド及び動物用シーツなどの衛生シーツの吸収性の紙層部に使用できるティッシュペーパー、ちり紙、トイレットペーパー又は生理用紙である衛生用紙に関する。
【０００２】
【従来の技術】
一般に、シーツは、寝具用シーツ、紙おむつ、生理用ナプキン、乳パッド、汗パッド及びペット用シーツなどに使用されている。例えば、寝具用シーツは、ベッドや敷布団の上に敷いて、ベッドや布団の耐久性を保ち、ベッドや布団を清潔に維持するために用いられている。
就寝中にも、人間の皮膚からは、汗以外に水分が絶えず外に排泄されており、これらの水分は、寝床や寝衣に吸い取られるので、例えば、寝具用シーツには、保温性及び適度の吸湿性を備えることが要求される。
【０００３】
また、寝具用シーツや寝具は、吸湿性や吸水性の高い繊維で形成されるので、皮膚表面から脱落した角化した角質層や皮膚に付着した塵に皮膚の皮脂や汗などによる垢などが付着して、汚染され易く、病原菌が増殖することとなり、特に、蓐瘡等の場合に問題である。
そこで、寝具用シーツや寝具については、常に清潔さを保つために、常に清浄さが保てるように、頻繁に取り替えて、繰り返し使用できるように、洗濯に強い木綿等が素材として使用されている。
【０００４】
【発明が解決しようとする課題】
しかし、木綿製等の寝具用シーツや寝具の場合、取り替える度毎に、洗濯されるが、比較的嵩張り、汚れの程度も相違し、また洗濯により清浄にできる程度も相違するので、自動洗濯機等によるとしても、希望するように清潔にすることは難しく、また、そのようにするには多くの手間を要して問題である。
そこでパルプ粉砕物に高吸水性樹脂を含有させた吸水層を設けた使い捨ての寝具用シーツが使用されている。しかし、パルプ粉砕物が従前に比して入手困難となり、比較的高価であるために、パルプ粉砕物の使用量を減らし、パルプ粉砕物節約で減った分の吸水能を高吸水性樹脂で補って形成されるために、比較的薄く形成され、弾力性に乏しく、比較的堅いシーツとなり問題とされている。またパルプ粉砕物の発熱量に比して高吸水性樹脂分の発熱量はかなり低いために、濡れたシーツなどの場合は、燃料を加えないと燃焼が維持できなくなり、外部から熱を与えなければ焼却できなくなり問題である。
【０００５】
一方、缶コーヒーや、インスタントコーヒー製造業から排出される、焙煎コーヒー豆からコーヒー液抽出残渣は膨大な量に上っている。しかし、コーヒー抽出残渣は、油脂分を含み、その上、かなりの量の残留液を含むために、利用が難しく、例えば残留液については、活性汚泥法等により処理し、専ら全て焼却処理されている。
また、紙おむつ、紙生理用ナプキン等の紙製の衛生用品は、裁断屑や検査不良品が発生し、その処理が問題とされている。
本発明は、従来の寝具用シーツ等の取り替え再使用する際に洗濯等の多くの手間を要する問題点を解決すると共に、焙煎コーヒー豆のコーヒー液抽出残渣の処理を目的としている。
【０００６】
【課題を解決するための手段】
本発明者は、缶コーヒーやインスタントコーヒーの製造時に大量に排出される、焙煎コーヒー豆のコーヒー液抽出残渣からの再抽出液及びウーロン茶の茶殻からの抽出液が、緑膿菌、黄色ブドウ球菌、レジオネラ菌及び連鎖球菌の増殖を２４時間以上に亙って阻害することを発見し、また緑茶の茶殻からの抽出液が、黄色ブドウ球菌、レジオネラ菌及び連鎖球菌の増殖を２４時間に亙って阻害することを発見し、さらにまた、本発明者は、紅茶の茶殻からの抽出液が、黄色ブドウ球菌及び連鎖球菌の増殖を２４時間に亙って阻害することを発見し、コーヒー液抽出残渣からの再抽出液、ウーロン茶の茶殻からの抽出液、緑茶の茶殻からの抽出液又は紅茶の茶殻からの抽出液を含浸させたシーツが、何れも緑膿菌、黄色ブドウ球菌、レジオネラ菌及び連鎖球菌の増殖を４８時間以上に亙って阻害することを発見し、本発明に至った。
本発明は、コーヒー液抽出残渣及び／又は茶殻から抽出した再抽出のコーヒー液及び／又はお茶を、吸水性の紙層部及び／又は吸水性樹脂及び吸水性材料粉の混合層に含浸させて乾燥して得られる衛生的に優れた衛生シーツを提供するものであり、また、焙煎コーヒー豆のコーヒー液抽出残渣及び茶殻を活用できる、安価な使い捨て衛生シーツを提供することを目的としている。
【０００７】
即ち、本発明は、焙煎コーヒー豆のコーヒー液抽出残渣についての抽出液の乾燥物が含まれているティッシュペーパ、ちり紙、トイレットペーパー又は生理用紙であることを特徴とする衛生用紙にあり、また、本発明は、焙煎コーヒー豆のコーヒー液抽出残渣についての抽出液の乾燥物及び緑茶、ウーロン茶若しくは紅茶の茶殻又はこれら二種以上の茶殻についての抽出液の乾燥物が含まれているティッシュペーパ、ちり紙、トイレットペーパー又は生理用紙であることを特徴とする衛生用紙にある。
【０００８】
【発明の実施の形態】
本発明の衛生シーツは、寝具用シーツ、紙おむつ、動物用紙おむつ、生理用ナプキン、動物用生理用ナプキン、乳パッド、汗パッド及び動物用シーツに使用でき、長時間に亙って良好な衛生状態を保持することができるものである。
本発明において、衛生シーツは、寝具用シーツに使用できる衛生シーツであり、有機物廃材を原料として、安価に製造することができ、使い捨て用素材に適している。
さらにまた、本発明の衛生シーツは、透水性の多孔層部と、プラスチック製の不透水性膜部の間に配置できるように形成して、使い捨て用の紙おむつ、動物用紙おむつ、生理用ナプキン、動物用生理用ナプキン、乳パッド、汗パッド及び動物用シーツとすることができる。本発明において、動物用シーツは、従来の動物用シーツと同様に、排泄用として使用されるものであるが、その他に、休養及び就寝用として使用されるものである。
【０００９】
本発明において、紙おむつ、動物用紙おむつ、生理用ナプキン、動物用生理用ナプキン、乳パッド、汗パッド及び動物用シーツとする場合には、その上面は、多孔層部、例えばポリプロピレン樹脂、ポリエチレン樹脂、ナイロン樹脂、ビニロン樹脂等のプラスチック繊維製又はレーヨン繊維製の不織布層部又はポリエチレン樹脂、ポリプロピレン樹脂、塩化ビニル樹脂等のプラスチック製の多孔膜で形成することができ、下面の不透水性膜部は、ポリエチレン樹脂、ポリプロピレン樹脂等のプラスチック製の不透水性膜で形成することができる。本発明において、前記多孔層部の下には、その下面に接して第一の吸水性の紙層部を設けることができる。
【００１０】
本発明において、吸水性の紙層部は、ティッシュペーパ、ちり紙、トイレットペーパ、又は生理用紙である衛生用紙で形成され、クレープで形成されるのが、良好な吸水性を確保できるので好ましい。
本発明においては、前記吸水性の紙層部の下面に接して、高吸水性樹脂及び吸水性材料粉を混合物として、又は混合物としないで含有する吸水性混合層部を設けることができる。この吸水性混合層部には、綿状パルプ層の間に高吸水性樹脂が挟持され、その表裏両面に吸水紙が設けられている所謂ポリマーシートを使用することができる。
【００１１】
例えば、紙おむつ廃材を粉砕して、例えば５ｍｍ以下の粒度、好ましくは３ｍｍ以下の粒度の紙おむつ粉砕物又は該紙おむつ粉砕物を分級した紙粉及び高吸水性樹脂を含む分級産物として得ることができる。紙おむつ廃材粉砕物には、ポリエチレン、ポリプロピレン、レーヨン及び合成ゴム材等が含有されるが、これらの材料の５ｍｍ以下の、好ましくは３ｍｍ以下の粉砕物は保水性を有することが分かった。
ポリマーシートを使用する場合には、多孔層部の下面に接する吸水性の紙層部及び不透水性膜部上面に接する吸水性の紙層部を省略することができる。
【００１２】
本発明において、吸水性樹脂は、比較的吸水性能の小さい吸水性樹脂及び吸水性能の高い高吸水性樹脂を意味する。しかし、吸水性の高いものを使用すると、使用量を少なくできるので好ましい。
また吸水性材料は、比較的高い吸水性を有する、機械パルプ、化学パルプ、セミケミカルパルプ、綿状パルプ等の木材パルプの粉砕物、古紙パルプの粉砕物、木粉、紙粉、紙おむつ廃材粉砕物、チタン紙又はパンチ屑などの屑紙の粉砕物或いはそれらの二以上の混合物である。これらの吸水性材料は、５ｍｍ以下の粒度、好ましくは３ｍｍ以下の粒度とするのが好ましい。
【００１３】
本発明において、紙粉は、粉状の紙又は吸水性樹脂を含む粉状の紙であり、例えば、製本時に発生する紙粉、不織布製造時に発生する紙粉、製紙工程において発生する紙粉、及び集塵ロスの紙粉、並びに紙おむつ、生理用ナプキン、ショルダーパッド、バストパッド、ヒップパッド又は汗パッド等のパッド類等の衛生材料製造時に発生する高吸水性樹脂を含む紙粉を意味する。
木材パルプに、木粉及びパンチ屑の粉砕物を加える場合には、木粉及びパンチ屑の粉砕物の量は、木材パルプの３〜２０重量％以下、好ましくは３〜１０重量％以下である。また、本発明においては、前記混合層部の下面に接して吸水材料層部を設けることができ、さらに該木材パルプ層部の下面に接して第二の吸水性の紙層部を設けることができる。
【００１４】
本発明において、焙煎コーヒー豆のコーヒー液抽出残渣についての抽出液は、缶コーヒーやインスタントコーヒー製造時に抽出滓として排出される、焙煎コーヒー豆のコーヒー液抽出残渣を常温水で又は常温以上の温度の加熱水で浸出して製造されたものを意味する。
本発明において、茶殻の抽出液は、緑茶、ウーロン茶又は紅茶の抽出残渣を常温水で又は常温以上の温度の加熱水で浸出して製造されたものを意味する。
【００１５】
本発明において、衛生シーツは、焙煎コーヒー豆のコーヒー液抽出残渣についての抽出液を、噴霧法、塗布法又は浸漬法等により含浸させた吸水性の紙層等の紙層部を、乾燥することにより製造することができる。乾燥する過程で、吸水性の紙層部に、焙煎コーヒー豆のコーヒー液抽出残渣についての抽出液の乾燥物を含有させることができる。
本発明において、衛生シーツは、焙煎コーヒー豆のコーヒー液抽出残渣についての抽出液に、一種以上の茶殻の抽出液を混ぜた抽出液の混合物を、噴霧法、塗布法又は浸漬法等により含浸させた吸水性の紙層等の紙層部を、乾燥することにより、焙煎コーヒー豆のコーヒー液抽出残渣についての抽出液の乾燥物と、一種以上の茶殻の抽出液の乾燥物の混合物を、紙層部に含有させることができる。
【００１６】
本発明において、茶殻についての抽出液を混合し、又は混合しない、焙煎コーヒー豆のコーヒー液抽出残渣についての抽出液を、印刷インキ組成物と配合して印刷インキに形成し、又は適当な着色材を配合して、カラーインキに形成すると、吸水性の紙層部面に全般に亙って所望の模様及び文字を印刷でき、例えば、装飾模様、並びに商業宣伝用の模様及び文字を吸水性の紙層部に印刷することができる。
吸水性の紙層部に含浸させる、焙煎コーヒー豆のコーヒー液抽出残渣についての抽出液及び茶殻についての抽出液の濃度は、抽出時の抽出残渣又は茶殻の単位重量に対する使用する浸出液の水の容量を変えて調整することができる。抽出時間は、２時間以内、特に１時間以内とすると、抽出時間を少なくできるので好ましい。コーヒー液抽出残渣及び茶殻は、抽出され易いので、比較的短時間で抽出することができる。
【００１７】
本発明において、シーツの吸水性混合層部には、紙おむつ、生理用ナプキンや動物用シーツに、吸水性を保持させるために、高吸水性樹脂が配合された紙粉や綿状パルプが使用される。この場合の高吸水性樹脂の使用量は、生理用ナプキン及び動物用シーツの場合で、全量に対し、５乃至１５重量％、好ましくは、７乃至１０重量％であり、紙おむつの場合で、全量に対し、２０〜３０重量部％、好ましくは２４乃至２７重量％である。
【００１８】
本発明において使用される高吸水性樹脂は、人工尿で自重の３０倍から１００倍程度の水を吸収しても、形を保持できる樹脂であるのが好ましい。このような高吸水性樹脂としては、例えば、ビニルエステルとエチレン系不飽和カルボン酸又はその誘導体との共重合体鹸化物、澱粉とアクリル酸のグラフト重合体、ポリアクリル酸の架橋物、ビニルアルコールとアクリル酸の共重合体、ポリアクリロニトリルの部分加水分解物、カルボキシメチルセルロースの架橋物、ポリエチレングリコールの架橋物、キトサンの塩又はプルランのゲルなどがある。これらは、吸水性材料粉に単独で又はこれら２種以上を混合して使用される。
【００１９】
本発明において、高吸水性樹脂は、例えば、不良品としての紙おむつ又は生理用ナプキン、紙おむつ又は生理用ナプキン裁断屑、紙おむつ廃材から回収された高吸水性樹脂含有物を使用することができる。このような回収された高吸水性樹脂は、人工尿に対して、吸水倍率が１０〜３０ｇ／ｇとその吸水性能は乏しいが、動物用シーツでは、この程度の吸水効果で十分使用できることがわかった。使用する高吸水性樹脂の粒度は、５０乃至５００μｍであるのが好ましい。
【００２０】
また、本発明においては、検査不良の紙おむつ及び紙おむつ裁断屑等の紙おむつ廃材を、吸水性混合層部に使用される。紙おむつ廃材は、綿状パルプ即ち紙粉及び高吸水性樹脂分を、例えば７０重量％含有するが、不透水性膜等にプラスチック材料及びゴム材料が５〜１５重量％ほど使用されているが、プラスチック材料やゴム材料の、５ｍｍ以下の粒度、好ましくは３ｍｍ以下の粒度に粉砕された粉砕物は、水の保水性を有するので、吸水性混合層部に使用できることが分かった。しかも、プラスチック材料やゴム材料の吸水性混合層部への配合は、プラスチック材料及びゴム材料の発熱量が大きいので、紙おむつ廃材の粉砕物を、吸水性混合層部に配合したシーツは、使用後においてもシーツを燃焼できる発熱量を有することができるので好ましい。
【００２１】
【作用】
本発明において、衛生シーツは、焙煎コーヒー豆のコーヒー液抽出残渣についての抽出液の乾燥物が含まれている吸水性の紙層部を備えているので、コーヒーや紅茶等のお茶の抽出液の乾燥物の作用により、汗等により湿っても、吸水性に優れ、且つ細菌の増殖が抑えられ、長時間に亙って、衛生的な状態を保つことができる。
また、本発明においては、上面を形成する透水性の多孔層部と、下面を形成するプラスチック製の不透水性膜部と、前記多孔層部の下面に接して位置する吸水性の第一紙層部と、該第一紙層部の下面に接して位置する吸水性樹脂及び吸水性材料粉の混合層部と、該混合層部の下面に接して位置する吸水性の第二紙層部とを備えており、前記不透水性膜部は、前記第二紙層部の下方に位置して配置されており、前記第一紙層部、前記混合層部及び第二紙層部の中の少なくとも何れか一つの層部に、焙煎コーヒー豆のコーヒー液抽出残渣についての抽出液の乾燥物又は焙煎コーヒー豆のコーヒー液抽出残渣についての抽出液の乾燥物及び茶殻の抽出液の乾燥物が含まれているので、紙おむつ、動物用シーツに使用して、排泄した尿の吸収が良く、また保水性が良く、さらに、焙煎コーヒー豆のコーヒー液抽出残渣についての抽出液の乾燥物及び茶殻の抽出液の乾燥物が含有されているので、使用時のシーツの衛生状態が顕著に良好である。
【００２２】
【実施例】
以下、本発明の実施の態様の例を説明するが、本発明は、以下の説明及び例示によって何等制限されるものではない。
図１は、本発明の一実施例の動物用シーツの説明図である。図２は本発明の別の一実施例の動物用シーツの説明図である。図３は、本発明の動物用シーツを製造する工程を示す概略の工程図である。図１乃至図３において対応する箇所には同一の符号が付されている。
【００２３】
図１に示す例において、動物用シーツ１は、ポリエチレンフィルム２（３重量部）の上に、高吸水性ポリマーシート３（１７．６重量部）が配置され、その上に焙煎コーヒー豆のコーヒー液抽出残渣の再抽出液の乾燥物を含有する吸水紙４（４．７重量部）が配置され、その上を、ポリプロピレン不織布５（２．２重量部）で覆い、該ポリプロピレン不織布５の端部は、最下層の前記ポレエチレンフィルム２の端部とホットメルト接着剤を介してホットメルト接着されている。
【００２４】
図２に示す例において、動物用シーツ１は、ポリエチレンフィルム２（３重量部）の上に、吸水紙４（２．１重量部）が配置され、その上に綿状パルプ６（１６．９重量部）が配置され、その上に、高吸水性樹脂７（３重量部）が配置され、その上に焙煎コーヒー豆のコーヒー液抽出残渣の再抽出液の乾燥物を含む印刷インキが印刷されている吸水紙４（４．７重量部）が配置され、その上を、ポリプロピレン不織布５（２．２重量部）で覆い、ポリプロピレン不織布５の端部は、最下層のポレエチレンフィルム２の端部とホットメルト接着剤を介してホットメルト接着されている。
【００２５】
図１及び図２に示す実施例においては、焙煎コーヒー豆のコーヒー液抽出残渣の抽出液の乾燥物を含有させた吸水紙を使用する事例を示したが、焙煎コーヒー豆のコーヒー液抽出残渣の抽出液の乾燥物と共に、茶殻の抽出液の乾燥物をも含有する吸水紙を使用することもできる。この場合は、焙煎コーヒー豆のコーヒー液抽出残渣の抽出液と茶殻の抽出液の混合液を、吸水紙に噴霧等により含浸させて、乾燥させて製造することができる。
【００２６】
図３において、吸水紙４のロール８は、吸水紙送り出しローラ９により引き出されて、綿状パルプ６の供給ローラ１０に送られて、粉砕機１１で粉砕された綿状パルプ６が供給される。綿状パルプ６が供給された吸水紙４は、吸水紙４上の綿状パルプ６の量が一定となるように調整されている。焙煎コーヒー豆のコーヒー液抽出残渣の再抽出液は、噴霧箇所１２に送られて、焙煎コーヒー豆のコーヒー液抽出残渣の再抽出液を噴霧器１３から噴霧される。
本例においては、このようにして、焙煎コーヒー豆のコーヒー液抽出残渣の再抽出液が、吸水紙４上の一定量の綿状パルプに噴霧される。焙煎コーヒー豆のコーヒー液抽出残渣の再抽出液が噴霧された吸水紙４は、高吸水性樹脂７の散布箇所１４に送られる。高吸水性樹脂７の散布箇所１４に送られた焙煎コーヒー豆のコーヒー液抽出残渣の再抽出液が噴霧された吸水紙４には、高吸水性樹脂７が散布機１５から散布される。
【００２７】
高吸水性樹脂７が散布された吸水紙４は、上側吸水紙４の供給箇所１６に送られて、吸水紙４のロール８から上方に吸水紙４が載せられる。上下に吸水紙４が配置された積層帯状物１７は、エンボス機１８に送られてエンボスが形成される。エンボスが形成された積層帯状物は１７は、マットカッター１９に送られて、長さ４５０ｍｍの積層物に切断される。切断された積層物の下方には、下方からポレエチレンフィルム２がポレエチレンフィルム２のロール２０から供給され、積層物は、ポレエチレンフィルム２の上に載せられて、ポリプロピレン不織布５を被せる箇所２１に送られる。
【００２８】
ポリプロピレン不織布５は、ポリプロピレン不織布５のロール２２から送られ、途中ホットメルト接着剤が噴霧器２３から噴霧される。ホットメルト接着剤が噴霧されたポリプロピレン不織布５は、積層物上に載せられる。ポリプロピレン不織布が載せられた積層物は、サイドシール機２４に送られて、両側部は、圧着されて、ホットメルト接着剤により接着される。両側部が接着された積層物は、エンドシール機２５に送られて長手方向両端部が接着され、製品カッター２６に送られ、所定の寸法に切断され製品として送られる。製品カッター２６で切断された製品は、折り機によって折られ包装機により包装されて出荷される。
【００２９】
本例においては、動物用シーツを例に説明したが、衛生シーツの場合は、紙漉機等により、紙層部が形成されて乾燥工程に移行する段階で、コーヒー液抽出残渣の抽出液が噴霧されて含浸される。コーヒー液抽出残渣の抽出液が含浸された紙層部は、乾燥機内で高温で乾燥され、消毒されて衛生シーツとして提供される。この場合、コーヒー液抽出残渣の抽出液に、一以上の茶殻の抽出液を混合した混合抽出液を含浸させて乾燥することができる。このように、各種の抽出液を混合することにより、より強力な微生物の増殖の抑制作用を発揮させることができる。
【００３０】
【発明の効果】
本発明において、衛生シーツは、焙煎コーヒー豆のコーヒー液抽出残渣についての抽出液の乾燥物が含まれている吸水性の紙層部を備えているので、従来のシーツに比して、コーヒーや紅茶等のお茶の抽出液の乾燥物の作用により、汗等の臭いが抑制され、発汗による湿り、及び細菌の増殖が抑えることができ、長時間に亙って、衛生的な状態を保つことができる。
【００３１】
また、本発明においては、上面を形成する透水性の多孔層部と、下面を形成するプラスチック製の不透水性膜部と、前記多孔層部の下面に接して位置する吸水性の第一紙層部と、該第一紙層部の下面に接して位置する吸水性樹脂及び吸水性材料粉の混合層部と、該混合層部の下面に接して位置する吸水性の第二紙層部とを備えており、前記不透水性膜部は、前記第二紙層部の下方に位置して配置されており、前記第一紙層部、前記混合層部及び第二紙層部の中の少なくとも何れか一つの層部に、焙煎コーヒー豆のコーヒー液抽出残渣についての抽出液の乾燥物又は焙煎コーヒー豆のコーヒー液抽出残渣についての抽出液の乾燥物及び茶殻の抽出液の乾燥物が含まれているので、従来の紙おむつ、動物用シーツと比して、、排泄した尿により濡れがなく、尿や体臭による汚臭を抑制することができ、例えば、愛玩用の動物用として、休養時、就寝時又は排泄時に使用して、周囲を良好な衛生状態に保っことができる。
【００３２】
本発明においては、焙煎コーヒー豆のコーヒー液抽出残渣についての抽出液及び／又は茶殻の抽出液を使用して、衛生シーツの使用時の細菌の増殖を抑制するので、大量の焙煎コーヒー豆のコーヒー液抽出残渣についての抽出液及び／又は茶殻の抽出液を使用することとなり、従来、活性汚泥処理等により処理されていた廃液を有効に利用でき、缶コーヒーやインスタントコーヒー製造時の廃材及び廃液処理工程を省くことができ、また例えば紙おむつ廃材を有効に使用できる。
【図面の簡単な説明】
【図１】本発明の一実施例の動物用シーツの説明図である。
【図２】発明の別の一実施例の動物用シーツの説明図である。
【図３】本発明の動物用シーツを製造する工程を示す概略の工程図である。
【符号の説明】
１  動物用シーツ
２  ポレエチレンフィルム
３  高吸水性ポリマーシート
４  吸水紙
５  ポリプロピレン不織布
６  綿状パルプ
７  高吸水性樹脂
８  吸水紙４のロール
９  吸水紙送り出しローラ
１０  綿状パルプの供給ローラ
１１  粉砕機
１２  焙煎コーヒー豆のコーヒー液抽出残渣の再抽出液の噴霧箇所
１３  焙煎コーヒー豆のコーヒー液抽出残渣の再抽出液の噴霧器
１４  高吸水性樹脂７の散布箇所
１５  散布機
１６  上側吸水紙４の供給箇所
１７  積層帯状物１６
１８  エンボス機
１９  マットカッター
２０  ポレエチレンフィルム２のロール
２１  ポリプロピレン不織布５を被せる箇所
２２  ポリプロピレン不織布のロール
２３  ホットメルト接着剤噴霧器
２４  サイドシール器
２５  エンドシール機
２６  製品カッター
【図１】
0003696107.tif 000002
【図２】
0003696107.tif 000003
【図３】
0003696107.tif 000004